(57)【要約】【課題】記憶された情報の中から不正使用に係る情報を効率良く抽出できるようにし、管理者の負担の軽減及び不正使用監視装置の信頼性の向上を図る。【解決手段】ユーザＩＤを識別するユーザＩＤ識別部１４ｅ、画像データの中から文字を認識する文字認識部１４ｄ、ユーザＩＤと画像データの中の文字と画像処理に係る画像データとを互いに関連付けて記憶する記憶部１５とを備えさせる。記憶した画像データの中からそれに含まれる文字を予め認識しておき、その文字を対象として検索することによって特定の単語を含む画像データのみを抽出可能にする。この画像データを管理者が確認することによって不正使用であったか否かが判別できる。【選択図】      図１
2004240658.tif 000002
【特許請求の範囲】
【請求項１】
画像処理要求に応じて画像処理を実行する画像処理装置が不正使用されたか否かを監視するための不正使用監視装置において、
画像処理を要求したユーザを識別する識別手段と、
上記ユーザが要求した画像処理に係る画像データの中から文字を認識する文字認識手段と、
上記識別手段により識別したユーザと、そのユーザが要求した画像処理に係る画像データの中から文字認識手段が認識した文字と、そのユーザが要求した画像処理に係る画像データの少なくとも一部分とを互いに関連付けて記憶可能な記憶手段とを備えていることを特徴とする画像処理装置の不正使用監視装置。
【請求項２】
請求項１記載の不正使用監視装置において、
識別手段、文字認識手段、記憶手段は、共に画像処理装置に備えられていることを特徴とする不正使用監視装置。
【請求項３】
監視サーバとの間で情報の送受信が可能に構成された画像処理装置が不正使用されたか否かを監視するための不正使用監視装置において、
画像処理を要求したユーザを識別する識別手段と、
上記ユーザが要求した画像処理に係る画像データの中から文字を認識する文字認識手段と、
上記監視サーバに備えられ、識別手段により識別したユーザと、そのユーザが要求した画像処理に係る画像データの中から文字認識手段が認識した文字と、そのユーザが要求した画像処理に係る画像データの少なくとも一部分とを互いに関連付けて記憶可能な記憶手段とを備えていることを特徴とする画像処理装置の不正使用監視装置。
【請求項４】
請求項１、２または３記載の不正使用監視装置において、
識別手段は、画像処理を要求したユーザのＩＤ番号を識別するよう構成されていることを特徴とする画像処理装置の不正使用監視装置。
【請求項５】
請求項１〜４のうち何れか一つに記載の不正使用監視装置において、
文字認識手段は、ユーザが要求した画像処理に係る画像データの中の一部の文字のみを認識するよう構成されていることを特徴とする画像処理装置の不正使用監視装置。
【請求項６】
請求項１〜５のうち何れか一つに記載の不正使用監視装置において、
文字認識手段によって認識した文字の中から単語を抽出する単語抽出手段と、
この単語抽出手段によって抽出された単語を記憶する抽出単語記憶手段とを備えていることを特徴とする画像処理装置の不正使用監視装置。
【請求項７】
請求項１〜６のうち何れか一つに記載の不正使用監視装置において、
文字認識手段によって文字の存在が認識されたか否かを判定する文字認識判定手段を備えていることを特徴とする画像処理装置の不正使用監視装置。
【請求項８】
請求項６記載の不正使用監視装置において、
特定の単語を記憶する単語辞書記憶手段を備え、
単語抽出手段は、文字認識手段が認識した文字情報の中から上記単語辞書記憶手段に記憶されている単語を抽出可能に構成されていることを特徴とする画像処理装置の不正使用監視装置。
【請求項９】
請求項６または８記載の不正使用監視装置において、
抽出単語記憶手段に記憶されている単語は、記憶手段に記憶されている画像データに関連付けられて記憶されていることを特徴とする画像処理装置の不正使用監視装置。
【請求項１０】
請求項７記載の不正使用監視装置において、
抽出単語記憶手段は、文字の存在が認識されなかったと文字認識判定手段が判定した場合、「文字無し」を示す単語と、文字の存在が認識されなかったその画像データとを関連付けて記憶するよう構成されていることを特徴とする画像処理装置の不正使用監視装置。
【請求項１１】
請求項６、８または９記載の不正使用監視装置において、
抽出単語記憶手段は、単語抽出手段によって抽出された単語が既に記憶されたものである場合には、その単語を新たには記憶しないよう構成されていることを特徴とする画像処理装置の不正使用監視装置。
【請求項１２】
請求項１〜１１のうち何れか一つに記載の不正使用監視装置において、
画像データに含まれている文字のうち検索したい文字を入力する文字入力手段と、
記憶手段に記憶されている文字の中から上記文字入力手段によって入力された文字を検索する文字検索手段と、
上記文字検索手段によって検索された文字に対応する画像データ及びユーザ識別情報を出力する出力手段とを備えていることを特徴とする画像処理装置の不正使用監視装置。
【請求項１３】
請求項１０記載の不正使用監視装置において、
文字認識判断手段で文字の存在が認識されなかった画像データが存在する場合、その画像データの出力を選択可能な文字無し選択入力手段と、
この文字無し選択入力手段による入力があったとき、抽出単語記憶手段にある「文字無し」を示す単語に対応付けられた画像データ及びユーザ識別情報を出力する出力手段とを備えていることを特徴とする画像処理装置の不正使用監視装置。
【請求項１４】
請求項９記載の不正使用監視装置において、
抽出単語記憶手段に記憶された抽出単語を出力する抽出単語出力手段と、
上記抽出単語を選択する抽出単語選択手段と、
この抽出単語選択手段によって選択された抽出単語に対応付けられた画像データ及びユーザ識別情報を出力する出力手段とを備えていることを特徴とする画像処理装置の不正使用監視装置。
【請求項１５】
請求項１〜１４のうち何れか一つに記載の不正使用監視装置において、
ネットワーク上の管理者端末からアクセスを認証する管理者認証手段と、
この管理者認証手段によって管理者端末が認証された場合に、管理者端末からの入力に応じて画像データ及びユーザ識別情報を管理者端末に出力する管理者端末出力手段とを備えていることを特徴とする画像処理装置の不正使用監視装置。
【請求項１６】
請求項１２、１３または１４記載の不正使用監視装置において、
出力手段は、検索された画像データの件数を出力することを特徴とする画像処理装置の不正使用監視装置。
【請求項１７】
請求項６、８、９または１１記載の不正使用監視装置において、
単語抽出手段は、一定時間毎に文字認識手段で認識された文字の中から単語を抽出して、抽出単語記憶手段に抽出単語を記憶させるよう構成されていることを特徴とする画像処理装置の不正使用監視装置。
【請求項１８】
請求項１１記載の不正使用監視装置において、
単語抽出手段は、単語の検索時に、その単語を抽出単語記憶手段に記憶させるよう構成されていることを特徴とする画像処理装置の不正使用監視装置。
【請求項１９】
上記請求項１〜１８のうち何れか一つに記載の不正使用監視装置において実行される制御方法であって、
画像処理を要求したユーザを識別する識別動作と、
上記ユーザが要求した画像処理に係る画像データの中から文字を認識する文字認識動作と、
上記識別動作により識別したユーザと、そのユーザが要求した画像処理に係る画像データの中から文字認識動作によって認識した文字と、そのユーザが要求した画像処理に係る画像データの少なくとも一部分とを互いに関連付けて記憶手段に記憶する記憶動作とを行うことを特徴とする不正使用監視装置の制御方法。
【発明の詳細な説明】
【０００１】
【発明の属する技術分野】
本発明は、プリンタ、スキャナ、複写機、これらの複合機等の画像処理装置が不正使用されたことを監視するための不正使用監視装置に係る。特に、本発明は、ユーザが要求した画像処理に係るデータと、そのユーザを特定するための情報（ＩＤ番号等）とを関連付けて記憶することによって不正使用を監視する監視装置において、不正使用監視動作の効率化を図るための改良に関する。
【０００２】
【従来の技術】
近年、オフィス等においては、パーソナルコンピュータ等の端末をネットワークを通じてデジタル複合機等の画像処理装置に接続したシステムを構築していることが多い。この種の画像処理装置は、プリンタ、スキャナ、複写機等としての役目を果たす複合機として構成されているものが一般的である。つまり、プリンタ機能では、端末からネットワークを通じて印刷データ（イメージデータやテキストデータ）を受信し、この印刷データに基づく画像や文字等を記録用紙に記録する。スキャナ機能では、読み取った原稿の画像を端末のディスプレイ等に表示する。複写機能では、上記スキャナ機能によって読み取った原稿画像を記録用紙に記録する。
【０００３】
このような画像処理装置は、オフィスでの作業効率の向上に多大に貢献するものの、簡単かつ容易に使用することができるので、仕事以外の私事（私用）のために不正使用されることが度々あった。
【０００４】
この画像処理装置の不正使用を抑制することに鑑みられたものとして下記の特許文献１，２がこれまでに提案されている。
【０００５】
特許文献１には、システム使用者（ユーザ）に対応した個人情報を記録した複数の個人カードを用意しておくと共に、マルチファンクションプリンタに接続するキーカウンタに、個人カードの差込口を複数設けた構成が開示されている。そして、１箇所の差込口をプリンタの複写機能に、他の差込口をプリンタのプリント機能にそれぞれ対応させ、個人カードをキーカウンタのプリント機能に対応する差込口で読み出したときに、読み出された個人情報をネットワーク接続時の個人情報と照合し、その照合の結果、各個人情報が一致したことを条件に、サーバで保持している印字データの印字をプリンタにより実行可能にしている。また、この印字動作を実行した際、ユーザ別の印字枚数をデータ記憶部に記録するようにしている。
【０００６】
特許文献２は、本発明の発明者が提案したものであって、記録用紙へのデータ記録が行われたときに、このデータ記録を要求したユーザのＩＤ番号と記録されたデータとを対応づけて記憶することにより、何れのユーザが如何なるデータを記録したかを管理者が知ることができ、画像処理装置の不正利用を把握することを可能にしたものである。また、この特許文献２では、ユーザのＩＤ番号と記録された画像データとを対応づけた情報の記憶を実行するか否かを、ユーザ毎に予め設定した保存率に基づいて決定している。
【０００７】
【特許文献１】
特開平１１−２４８５９号公報
【特許文献２】
特開２００２−１１６９０１号公報
【０００８】
【発明が解決しようとする課題】
ところで、この種の不正使用監視装置にあっては、記憶された大量のデータを管理者が順に確認して不正使用であったか否かを判別していくといった作業が必要があったため、その監視作業に多大な労力を要することになって管理者の負担が大きかった。
【０００９】
また、上記特許文献２では、ユーザ毎に保存率を予め設定しておき、不正使用である可能性の高い情報を記憶できるようにしているが、これでは、保存率が低く設定されたユーザが不正使用した場合、その不正使用に係る情報が記憶されない可能性があり、不正使用監視装置の信頼性をいっそう高めるためには更なる改良が必要であった。
【００１０】
本発明は、かかる点に鑑みてなされたものであり、その目的とするところは、記憶された情報の中から不正使用に係る情報を効率良く抽出できるようにし、管理者の負担の軽減及び不正使用監視装置の信頼性の向上を図ることにある。
【００１１】
【課題を解決するための手段】
−発明の概要−
上記の目的を達成するために、本発明は、記憶した画像データの中からそれに含まれる文字を予め認識しておき、その文字を対象として検索することによって特定の単語を含む画像データのみを抽出できるようにしている。そして、この画像データを管理者が確認することによって不正使用であったか否かが判別できるようにしている。つまり、不正使用文書に含まれる可能性の高い単語（文字）を検索対象とした検索を実行することによって、不正使用に係る情報を効率良く抽出できるようにしている。
【００１２】
−解決手段−
具体的には、画像処理要求に応じて画像処理を実行する画像処理装置が不正使用されたか否かを監視するための不正使用監視装置を前提とする。この不正使用監視装置に対し、識別手段、文字認識手段、記憶手段を備えさせる。識別手段は、画像処理を要求したユーザを識別するものである。文字認識手段は、ユーザが要求した画像処理に係る画像データの中から文字を認識するものである。記憶手段は、識別手段により識別したユーザと、そのユーザが要求した画像処理に係る画像データの中から文字認識手段が認識した文字と、そのユーザが要求した画像処理に係る画像データの少なくとも一部分とを互いに関連付けて記憶可能なものである。
【００１３】
各手段の設置形態としては、識別手段、文字認識手段、記憶手段を、共に画像処理装置に備えさせるようにしている。
【００１４】
この特定事項により、文字認識手段が認識した文字に対して検索を行うことで、その文字を含む画像データとその画像データの処理を要求したユーザとを特定してその情報を記憶手段から抽出することができる。つまり、検索文字として不正使用である可能性の高い単語（文字）を検索対象とすれば、不正使用に係る情報のみを高い確率で抽出することができ、管理者は、大量のデータを確認することなしに不正使用を監視することが可能となる。その結果、管理者の監視負担の軽減、監視作業の高効率化を図ることが可能になる。
【００１５】
また、画像処理装置を監視サーバとの間で情報の送受信を可能な構成としておき、上記記憶手段を監視サーバに備えさせる構成としてもよい。この場合の構成としては以下のものが掲げられる。つまり、監視サーバとの間で情報の送受信が可能に構成された画像処理装置が不正使用されたか否かを監視するための不正使用監視装置を前提とする。この不正使用監視装置に対し、画像処理を要求したユーザを識別する識別手段と、上記ユーザが要求した画像処理に係る画像データの中から文字を認識する文字認識手段と、上記監視サーバに備えられ、識別手段により識別したユーザと、そのユーザが要求した画像処理に係る画像データの中から文字認識手段が認識した文字と、そのユーザが要求した画像処理に係る画像データの少なくとも一部分とを互いに関連付けて記憶可能な記憶手段とを備えさせている。
【００１６】
この構成は、例えば複数の画像処理装置と監視サーバとによってネットワークを構成する場合に有効である。つまり、管理者は、それぞれの画像処理装置において実行された不正な使用を、監視サーバ内の記憶手段に記憶された情報に対して上述した文字検索を行うことによって一括管理することが可能になる。
【００１７】
上記識別手段がユーザを識別するための形態としては、画像処理を要求したユーザのＩＤ番号を識別することが掲げられる。
【００１８】
また、上記文字認識手段による文字認識動作として具体的には、ユーザが要求した画像処理に係る画像データの中の一部の文字のみを認識するようにしている。これによれば、画像データが不正使用に係るものであるか否かを判定するために記憶しておく文字情報として、画像データ中の全ての文字情報を記憶することがないため、その記憶容量が膨大になってしまうことがない。例えば、複数頁に亘る画像データのうちの第１頁の文字情報のみを記憶すること等が掲げられる。これは、必ずしも画像データ中の全ての文字情報を記憶しなくても、一部の文字情報を確認すれば、その画像データが不正使用に係るものであったか否かを判別することが可能であるからである。
【００１９】
また、文字認識手段によって認識した文字の中から単語を抽出する単語抽出手段と、この単語抽出手段によって抽出された単語を記憶する抽出単語記憶手段とを備えさせている。これによれば、単語抽出手段によって抽出された単語を基にインデックスを作成し、このインデックスを利用して情報の管理や単語の検索を行うことが可能となり、管理者による画像データの監視が行いやすくなる。尚、この単語抽出手段による単語の抽出（切り出し）動作として、文字列が英語の場合には単語間の空白（スペース）で単語を判断することになる。
【００２０】
また、文字認識手段によって文字の存在が認識されたか否かを判定する文字認識判定手段を備えさせている。この文字認識判定手段によって文字の存在が認識された場合、管理者は、文字検索を行うことで不正使用に係る情報を抽出可能であると知ることができる。一方、文字認識判定手段によって文字の存在が認識されなかった場合、管理者は、文字検索では不正使用に係る情報を抽出することはできず他の手法によって不正使用に係る情報を抽出する必要があると知ることができる。このため、文字の存在しない画像データの不正使用を見逃してしまうことが抑制できる。
【００２１】
更に、特定の単語を記憶する単語辞書記憶手段を備えさせ、文字認識手段が認識した文字情報の中から上記単語辞書記憶手段に記憶されている単語を単語抽出手段が抽出可能な構成としている。特に、日本語の場合、単語辞書を利用すれば単語間の切れ目を容易に判断することが可能になり、正確な単語認識が可能となって抽出精度の向上を図ることができる。また、必要な単語のみを切り出すことも可能になる。例えば、単語辞書記憶手段に、管理者が監視したいキーワード（例えば、不正使用に係る文書に含まれる可能性の高い単語）となる単語を記憶させておけば、画像データからそのキーワードとなる単語を容易に切り出すことができ、管理者のニーズに応じた監視を行うことができる。
【００２２】
また、抽出単語記憶手段に記憶されている単語を、記憶手段に記憶されている画像データ（例えば、画像データ番号）に関連付けて記憶させている。これによれば、単語を検索することにより、その単語を含む画像データを容易に抽出することができる。つまり、単語検索から画像データを特定し、その画像データが不正使用に係るものであるか否かを直接確認することによって高効率で確実な監視を行うことができる。
【００２３】
また、抽出単語記憶手段は、文字の存在が認識されなかったと文字認識判定手段が判定した場合、「文字無し」を示す単語と、文字の存在が認識されなかったその画像データとを関連付けて記憶するよう構成されている。これによれば「文字無し」を検索条件として画像データを抽出することが可能となる。つまり、この条件で画像データを抽出することにより、文字を含まない画像データのみに対してその画像データが不正使用に係るものであるか否かを直接確認することが可能になる。また、文字が認識されなかった画像データが複数ある場合でも、「文字無し」を示す単語から検索することにより、これら画像データの全てを抽出することができる。
【００２４】
また、上記抽出単語記憶手段は、単語抽出手段によって抽出された単語が既に記憶されたものである場合には、その単語を新たには記憶しないよう構成されている。これによれば、一度抽出された単語を重複記憶してしまうことが回避され、記憶容量の削減を図ることができる。
【００２５】
また、上記各解決手段に係る構成に以下の各手段を加えてもよい。つまり、画像データに含まれている文字のうち検索したい文字を入力する文字入力手段と、記憶手段に記憶されている文字の中から上記文字入力手段によって入力された文字を検索する文字検索手段と、この文字検索手段によって検索された文字に対応する画像データ及びユーザ識別情報を出力する出力手段とを備えさせる構成である。これによれば、管理者が監視したい内容に関連する文字を検索することによって、その文字を含む画像データが出力されるため、管理者のニーズに応じて監視対象を限定できる。尚、出力手段による出力形態としては、画像処理装置の表示画面等への表示や印刷等が掲げられる。
【００２６】
また、文字認識判断手段で文字の存在が認識されなかった画像データが存在する場合、その画像データの出力を選択可能な文字無し選択入力手段と、この文字無し選択入力手段による入力があったとき、抽出単語記憶手段にある「文字無し」を示す単語に対応付けられた画像データ及びユーザ識別情報を出力する出力手段とを備えさせている。この場合、「文字無し」の画像データがある場合にのみ、その出力を選択できるようにすることで、管理者が文字無し画像データが存在するか否かを知ることができる。また、管理者の選択によって、文字無し画像データを監視することができる。
【００２７】
また、抽出単語記憶手段に記憶された抽出単語を出力する抽出単語出力手段と、上記抽出単語を選択する抽出単語選択手段と、この抽出単語選択手段によって選択された抽出単語に対応付けられた画像データ及びユーザ識別情報を出力する出力手段とを備えさせている。これによれば、抽出単語の一覧を出力（画面表示など）し、その中からユーザが監視したい単語を選択することで、確実に関連する画像データを監視することができる。
【００２８】
また、ネットワーク上の管理者端末からアクセスを認証する管理者認証手段と、この管理者認証手段によって管理者端末が認証された場合に、管理者端末からの入力に応じて画像データ及びユーザ識別情報を管理者端末に出力する管理者端末出力手段とを備えさせている。これによれば、管理者は、画像処理装置や監視サーバに行かなくても、管理者端末からアクセスして画像データを監視することが可能となり、監視負担の更なる軽減化を図ることができる。
【００２９】
上記出力手段は、検索された画像データの件数を出力するようになっている。これにより、検索された画像データの件数が多ければ、再検索によって件数を絞り込んで、画像データ及びユーザ識別情報を出力することができる。
【００３０】
上記単語抽出手段は、一定時間毎に文字認識手段で認識された文字の中から単語を抽出して、抽出単語記憶手段に抽出単語を記憶させるよう構成されている。これによれば、記憶手段の画像データが刻々と増加していっても、一定時間毎に画像データのインデックス作成（抽出単語記憶手段への抽出単語の記憶動作）を一括して行うことができる。
【００３１】
単語抽出手段は、単語の検索時に、その単語を抽出単語記憶手段に記憶させるよう構成されている。これによれば、単語の検索を行う度に、画像データのインデックス作成（抽出単語記憶手段への抽出単語の記憶動作）を一括して行うことができる。よって、インデックスを使用しないときに、インデックス作成を行うといった無駄がなくなる。
【００３２】
尚、上記各解決手段のうち何れか一つの解決手段に係る不正使用監視装置において実行される制御方法も本発明の技術的思想の範疇である。この方法は、画像処理を要求したユーザを識別する識別動作と、ユーザが要求した画像処理に係る画像データの中から文字を認識する文字認識動作と、この識別動作により識別したユーザと、そのユーザが要求した画像処理に係る画像データの中から文字認識動作によって認識した文字と、そのユーザが要求した画像処理に係る画像データの少なくとも一部分とを互いに関連付けて記憶手段に記憶する記憶動作とを行う制御方法である。
【００３３】
【発明の実施の形態】
以下、本発明の実施の形態を図面に基づいて説明する。本形態では、複数台のユーザ端末がネットワークを介して接続されてネットワークシステム（所謂ＬＡＮ（Ｌｏｃａｌ  Ａｒｅａ  Ｎｅｔｗｏｒｋ））を構築する１台の画像処理装置に対して本発明を適用した場合について説明する。
【００３４】
−ネットワークシステムの構成説明−
図１は、本発明に係る不正使用監視装置（後述するユーザＩＤ識別部１４ｅ、文字認識部１４ｄ、画像データ・文字記憶部１５ａを備えている）を備えたネットワークシステムを示すブロック図である。この図１に示すネットワークシステムは、オフィス等で使用されるものであって、複写機（以下、コピー機と呼ぶ場合もある）、プリンタ、スキャナの役目を果たす画像処理装置１、パーソナルコンピュータやワークステーションで成る第１及び第２ユーザ端末２，３等がネットワークケーブル４を通じて相互に接続されて構築されている。
【００３５】
画像処理装置１は、読み取った原稿を用紙に記録するコピー機としての機能を果たしたり、ユーザ端末２，３から受信した画像データを用紙に記録するプリンタとしての機能を果たしたり、読み取った原稿画像データをユーザ端末２，３に送信するスキャナとしての機能を果たすよう構成されている。
【００３６】
画像処理装置１をコピー機として使用する場合は、原稿を画像読取部１１にセットし、ユーザＩ／Ｆ１６で入力操作することにより、原稿のコピーを指示する。これに応答して制御部１４は、原稿の画像をコピーするために、画像読取部１１を起動する。画像読取部１１は、原稿の画像を読み取り、この画像に基づいた画像データを生成して画像処理部１２に出力する。画像形成部１３では、この画像データに基づく画像を記録用紙に記録し、この記録用紙を排出する。
【００３７】
一方、画像処理装置１をプリンタとして使用する場合は、例えば第１ユーザ端末２においてドライバ２３ａを用いて生成された印刷データを、ネットワークＩ／Ｆ２２からネットワークケーブル４を通じて画像処理装置１へと送信する。画像処理装置１は、ネットワークＩ／Ｆ１７で印刷データを受信し、制御部１４はこの印刷データを言語解析して展開を行って、各種の画像処理が施されてから、画像形成部１３で画像を記録用紙に記録する。
【００３８】
また、画像処理装置１をスキャナとして使用する場合は、原稿を画像読取部１１にセットし、ユーザＩ／Ｆ１６で入力操作することにより、原稿の読み取りを指示する。画像読取部１１は、原稿の画像を読み取り、制御部１４はこの画像に基づく画像データを例えば第１ユーザ端末２が認識できる形式となるように画像処理を行い、ネットワークケーブル４を通じて第１ユーザ端末２に送信する。第１ユーザ端末２は、この画像データについてプレビュープログラム２３ｂを用いて、ユーザＩ／Ｆ２４の表示装置（ディスプレイ）に表示する。
【００３９】
以上のように、本画像処理装置１は、コピー機、プリンタ及びスキャナの役目を共に果たすことができる。従って、オフィスでの作業効率に貢献するものの仕事以外の私事のために不正利用される可能性がある。
【００４０】
このため、本画像処理装置１は、管理者によって不正利用を監視するが、この監視のために以下の構成となっている。つまり、本画像処理装置１は、画像要求のあった画像データを、制御部１４にある画像保存管理部１４ｆによって、記憶部１５にある記憶手段としての画像データ・文字記憶部１５ａに保存する。そうすると、管理者は記憶部１５の画像データ・文字記憶部１５ａを参照することで、不正な利用が行われたか否かを判断することができる。尚、本形態の特徴とするところは、この記憶したデータから不正使用の可能性の高いデータを抽出可能としたことにある。これについては後述する。
【００４１】
画像処理装置１の制御部１４は、現在の日時を認識する時計部１４ｈ、ユーザＩＤ入力部１８で挿入されたＩＣカードやユーザ端末２，３から送られた印刷データの中からユーザＩＤを識別する識別手段としてのユーザＩＤ識別部１４ｅを備えている。また、非接触タイプのＩＣカードによりユーザＩＤを識別できるようにしてもよい。
【００４２】
また、この制御部１４はネットワーク上の管理者端末からアクセスを認証する管理者認証手段としての管理者認証部１４ｎを備えている。この管理者認証部１４ｎによって管理者のユーザＩＤが確認された場合に限り、後述する監視動作の実行を許容するようになっている。この制御部１４のその他の構成については後述する。
【００４３】
−画像処理装置１の基本動作の説明−
次に、画像処理装置１の基本動作について図２のフローチャートに沿って説明する。
【００４４】
先ず、第１及び第２ユーザ端末２，３等からネットワークケーブル４を通じて、印刷データが受信されると（Ｓ２−１でＹＥＳ判定）、画像処理装置１はプリンタ機能として印刷処理を開始する（Ｓ２−２）。この印刷処理では、制御部１４に備えられた言語解析部１４ｂによる印刷データの言語解析と、その言語解析の結果に基づく印刷データ展開部１４ａによる印刷データの展開とが行われ、各種の画像処理が施されてから、画像形成部１３において記録用紙に画像が記録されることになる。
【００４５】
このとき、印刷処理を開始した後、印刷データに付加されたユーザＩＤを抽出してユーザを特定する（Ｓ２−３）。このユーザＩＤとは、印刷データを送ったユーザを認識するためのデータであって、例えば、ユーザ端末２において印刷データを生成する際にユーザがユーザＩＤを入力することによって印刷データに付加される。その後、ユーザＩＤと画像情報とを対応させて記憶部１５に記憶する（Ｓ２−４）。ここで、記憶容量を削減するため、画像を圧縮して記憶部１５に記憶してもよい。
【００４６】
一方、Ｓ２−１で印刷データを受信しない場合であって、ユーザＩＤ入力部１８にＩＣカードが挿入（Ｓ２−５でＹＥＳ判定）された場合、ＩＣカードの中からユーザＩＤを抽出してユーザを特定する（Ｓ２−６）。その後、ユーザによる画像処理の設定が行われる（Ｓ２−７）。この画像処理の設定は、主に、ユーザＩ／Ｆ１６で、コピーやスキャナといった画像処理の種類の選択、機能の設定が行われる。
【００４７】
ここで、画像処理の種類としてコピー操作が選択（Ｓ２−８でＹＥＳ判定）されていると、画像読取部１１で原稿の画像を読み取り、印刷処理を開始（Ｓ２−９）すると共に、ユーザＩＤと画像情報とを対応させた記憶部１５への記憶動作を実行する。また、コピー操作が選択されていない（Ｓ２−８でＮＯに判定された）場合はスキャナ操作が選択されていることになるため、画像読取部１１で原稿の画像を読み取り、ユーザ端末２へ画像データを送信する処理を開始（Ｓ２−１０）すると共に、ユーザＩＤと画像情報とを対応させた記憶部１５への記憶動作を実行する。
【００４８】
以上の処理によって、画像処理装置１は、プリンタ、コピー、スキャナといった画像処理を選択的に実行し、一部または全部の画像データとユーザＩＤとが互いに関連付けられて記憶される。
【００４９】
−画像データ保存のための構成及び保存動作の説明−
次に、上記フローチャートにおけるＳ２−４で実行される、ユーザＩＤと画像情報とを対応させた記憶部１５への記憶動作のための構成及びその動作について説明する。
【００５０】
図１に示すように、上記制御部１４は、単語抽出手段としての文字切出部１４ｃ及び文字認識手段としての文字認識部１４ｄを備えている。文字認識部１４ｄは、ユーザが要求した画像処理に係る画像データの中から文字を認識するようになっている。
【００５１】
文字切出部１４ｃは、上記文字認識部１４ｄが認識した文字の中から単語を抽出する（切り出す）ようになっている。
【００５２】
以下、画像データ保存動作について図３のフローチャートに沿って説明する。先ず、Ｓ３−１において、画像データの中から文字データの切り出しを試みる。そして、Ｓ３−２において、画像データの中に文字データが存在するか否かを判定する。つまり、文字データの切り出しが行えた場合にはＹＥＳ判定され、文字データの切り出しが行えなかった場合にはＮＯ判定される。このＳ３−２によって本発明でいう文字認識判定手段が構成されている。
【００５３】
このＳ３−２でＹＥＳ判定された（文字データの切り出しが行えた）場合には、Ｓ３−３において、上記文字データから文字を認識し、この文字データをテキストデータにした後、Ｓ３−４において、画像データ、ユーザＩＤ、文字データを対応付けて記憶部１５へ記憶させる。上記Ｓ３−３における文字認識動作としては、ユーザが画像処理を要求した画像データの中の全ての文字データに対してデータの切り出し及び認識を行ってもよいし、ユーザが画像処理を要求した画像データの中の一部の文字データに対してデータの切り出し及び認識を行ってもよい。例えば、画像データが複数頁に亘る場合に文字を含む頁の１枚に対してのみ文字データの切り出し及び認識を行うようにしてもよい。
【００５４】
一方、上記Ｓ３−２でＮＯ判定された（文字データの切り出しが行えなかった）場合には、Ｓ３−５において、文字が存在しない旨を記憶した上で、Ｓ３−６において、画像データ、ユーザＩＤを対応付けて記憶部１５へ記憶させる。
【００５５】
図４は、上述した画像データ保存動作に使用された画像の一例であって、画像Ｎｏとその画像データとを示している。例えば、画像Ｎｏ「０１３１」はイメージデータのみから成る画像であって、この画像データに対して処理を実行した場合には、上記Ｓ３−６において、画像データとユーザＩＤとが対応付けられて記憶部１５に記憶される。また、画像Ｎｏ「０１３２」はイメージデータと文字データとから成る画像であって、この画像データに対して処理を実行した場合には、上記Ｓ３−４において、画像データとユーザＩＤと文字データとが対応付けられて記憶部１５へ記憶される。
【００５６】
また、図５は、上記画像データを記憶した記憶部１５（画像データ・文字記憶部１５ａ）での記憶状態を示している。このように、画像Ｎｏ、ユーザＩＤ、ユーザ名、文字データ（文字情報を含んでいるもののみに対して文字データが記憶される）が互いに関連付けられて記憶されている。
【００５７】
−インデックス作成のための構成及び動作の説明−
本形態の特徴としては、記憶部１５に記憶したデータから不正使用の可能性の高いデータを抽出可能としたことにある。このデータ抽出のために、文字情報中に含まれる単語とその単語を含んでいる画像Ｎｏとを対応付けたインデックスが予め作成されるようになっている。
【００５８】
以下、このインデックス作成のための構成及びインデックス作成動作について説明する。
【００５９】
図１に示すように、記憶部１５は、単語辞書記憶手段としての単語辞書１５ｂ及び抽出単語記憶手段としてのインデックス記憶部１５ｃを備えている。また、上記制御部１４は、単語抽出部１４ｉ、画像データ関連付け部１４ｊ、インデックス管理部１４ｋを備えており、これらの動作によってインデックスの作成及び管理が行われるようになっている。
【００６０】
上記単語辞書１５ｂは、予め複数の単語を登録しておく部分である。この登録単語としては、不正使用文書であれば含んでいる可能性高い単語の他に、不正使用である可能性の低い文書に含まれる単語が掲げられる。また、この単語辞書１５ｂへの単語の登録は、管理者が予め設定登録してもよいし、画像データの処理が実行された際に上記文字切出部１４ｃが切り出した単語を順次登録していくようにしてもよい。
【００６１】
図６は、この単語辞書１５ｂに登録されている単語の一例を示している。この場合、「アクセサリー」や「イヤリング」は、不正使用である可能性の高い文書に含まれる単語として登録されている。一方、「開発」や「会議」は、不正使用である可能性の低い文書に含まれる単語として登録されている。また、図７は、後述するインデックス作成動作によって作成されたインデックスの一例を示している。このようにインデックスでは、上記単語辞書１５ｂに対応した抽出単語と、その抽出単語に関連付けられた１つまたは複数の画像Ｎｏとが記憶されている。
【００６２】
次に、インデックス作成動作について図８及び図９のフローチャートに沿って説明する。図８は、このインデックス作成動作の開始タイミングを決定するためのフローチャートであり、図９は、インデックス作成の動作手順を示すフローチャートである。
【００６３】
先ず、インデックス作成動作の開始タイミングを決定するためのフローチャートを説明する。ここでは、一定時間毎にインデックスを作成するようにしている。先ず、Ｓ８−１で、一定時間が経過したか否かを判定する。この一定時間とは例えば１時間である。そして、ここでＹＥＳ判定がなされると、Ｓ８−２に移って、インデックス作成の対象となっていない画像データが存在しているか否かを判定する。つまり、記憶部１５に記憶されている画像データのうち未だインデックス作成の対象とされていない（その画像データに対するインデックス作成動作が未だ行われていない）画像データが有るか否かを判定する。
【００６４】
このＳ８−２の判定がＹＥＳであれば、Ｓ８−３に移って、その画像データ（インデックス作成動作が未だ行われていない画像データ）を選択し、Ｓ８−４においてインデックス作成が実行される。
【００６５】
その後、再びＳ８−２に戻り、他の画像データのうち未だインデックス作成の対象とされていない画像データが有るか否かを判定し、上記の動作を繰り返す。
【００６６】
次に、上記Ｓ８−４において実行されるインデックス作成動作について図９のフローチャートに沿って説明する。先ず、Ｓ９−１において、画像データ中に文字が存在しているか否かを判定する。ここでＹＥＳに判定されると、Ｓ９−２に移り、その文字を参照する。そして、この参照した文字が単語辞書に登録されている単語に一致しているか、つまり、その文字は単語辞書に登録されているものであるか否かを判定する（Ｓ９−３）。
【００６７】
そして、この判定がＹＥＳである場合、Ｓ９−４に移り、既に作成されているインデックスを参照する。そして、今、参照している文字がインデックス中に存在しているか否か、つまり、既にその文字はインデックスに登録済みの文字であるか否かを判定する（Ｓ９−５）。
【００６８】
この判定がＹＥＳである場合には、Ｓ９−６に移って、今、参照している文字をインデックスに登録することなく、既にインデックスに登録されているその単語に、現在対象としている画像データの画像Ｎｏを関連付けて、その画像Ｎｏを追加登録する。つまり、その単語に対しては複数の画像Ｎｏが関連付けられたことになる（図７の抽出単語「開発」を参照）。
【００６９】
一方、上記Ｓ９−５の判定がＮＯである場合には、Ｓ９−７に移って、今、参照している文字をインデックスに新規作成（新規登録）し、その単語に、現在対象としている画像データの画像Ｎｏを関連付けて、その画像Ｎｏをインデックスに登録する。
【００７０】
その後、Ｓ９−８に移り、現在対象としている画像データ中の全ての文字に対して参照動作が完了したか否かを判定し、この参照動作が完了するまでＳ９−１〜Ｓ９−８の動作を繰り返す。
【００７１】
一方、上記Ｓ９−１において、画像データ中に文字が存在しておらず、ＮＯに判定されると、Ｓ９−９に移り、既に作成されているインデックスを参照する。そして、現在のインデックス中には「文字無し」として登録されているものが存在しているか否か、つまり、文字の存在していない画像データが認識され、その画像Ｎｏがインデックスに登録されているか否かを判定する（Ｓ９−１０）。
【００７２】
この判定がＹＥＳである場合には、Ｓ９−１１に移って、「文字無し」を示す単語に、現在対象としている画像データの画像Ｎｏを関連付けて、その画像Ｎｏを追加登録する（図７の抽出単語「文字無し」を参照）。
【００７３】
一方、上記Ｓ９−１０の判定がＮＯである場合には、Ｓ９−１２に移って、「文字無し」を示す単語をインデックスに新規作成（新規登録）し、それに、現在対象としている画像データの画像Ｎｏを関連付けて、その画像Ｎｏをインデックスに登録する。以上の動作が繰り返されることにより、一定時間毎に図７に示すようなインデックスが作成（更新）される。
【００７４】
−監視動作の説明−
次に、上述の如く作成したインデックスを利用した管理者による監視動作を図１０〜図１４を用いて説明する。図１０は、この監視動作の全体の手順を示すフローチャートである。図１１は、この監視動作中に実行される検索動作の詳細を示すフローチャートである。図１２〜図１４はこの検索動作中における画像処理装置１の表示パネルの表示状態を示す図である。
【００７５】
先ず、画像処理装置１のユーザＩ／Ｆ１６を管理者が操作して監視動作を開始すると、画像処理装置１の表示パネルに監視方法選択画面が表示される。つまり、監視動作の開始が指示されると、先ず、Ｓ１０−１でインデックスが参照され、このインデックス中に「文字無し」を示す単語が存在しているか否かを判定する（Ｓ１０−２）。ここで、「文字無し」を示す単語が存在している場合には、Ｓ１０−３に移って、「イメージデータのみのデータ出力」を選択可能にするように監視方法選択画面が表示される。一方、Ｓ１０−２の判定において、インデックス中に「文字無し」を示す単語が存在していない場合、つまり、全ての画像データには文字が存在していた場合には、Ｓ１０−４に移って、「イメージデータのみのデータ出力」を選択不可能にするように監視方法選択画面が表示される。図１２は、このＳ１０−４における監視方法選択画面の表示状態を示しており、「イメージデータのみのデータ出力」がグレーアウトされて選択不可能となっている。Ｓ１０−３の場合には、この「イメージデータのみのデータ出力」が選択可能な状態となる（本発明でいう文字無し選択入力手段の選択が可能な状態）。
【００７６】
このようにして監視方法選択画面が表示された状態でＳ１０−５に移り、管理者からの選択入力を待つ。つまり、管理者からの出力方法の選択の指示を待つ。
【００７７】
そして、先ず、管理者が「キーワード検索」を指示した場合には、Ｓ１０−６でＹＥＳに判定されてＳ１０−７の検索モードに移行する。この検索モードでの動作手順については後述する。
【００７８】
また、管理者が「イメージのみのデータ出力」を指示した場合には、Ｓ１０−８でＹＥＳに判定され、Ｓ１０−９において、「文字無し」を示す単語に関連付けられている画像データのみを抽出し、その一覧が出力される（Ｓ１０−１０）。例えば上述した各画像データの場合、画像Ｎｏ「０１３１」が出力されることになる。この場合の出力形態としては、表示制御部１４ｍの動作によって画像処理装置１の表示パネルに表示してもよいし、画像形成部１３によって印刷されたり、管理者の端末に画像データを送信するようにしてもよい。
【００７９】
更に、管理者が「全出力」を指示した場合には、Ｓ１０−１１でＹＥＳに判定され、Ｓ１０−１２において、記憶部１５に記憶している全ての画像データを抽出し、その一覧が出力される（Ｓ１０−１３）。この場合の出力形態としても、画像処理装置１の表示パネルに表示してもよいし、画像形成部１３によって印刷されたり、管理者の端末に画像データを送信するようにしてもよい。
【００８０】
また、管理者が「終了」を指示した場合には、Ｓ１０−１４でＹＥＳに判定され、監視動作を終了する。
【００８１】
次に、上記Ｓ１０−７の検索モードでの動作手順について図１１、１３，１４を用いて説明する。この検索モードとしては「文字検索モード」と「抽出単語検索モード」とがある。先ず、「文字検索モード」が選択された場合には、Ｓ１１−１においてＹＥＳに判定され、図１３に示す「検索画面」が画像処理装置１の表示パネルに表示される。この画面上で検索文字の入力が行われる（Ｓ１１−２：本発明でいう文字入力手段における入力）。一方、「抽出単語検索モード」が選択された場合には、Ｓ１１−３においてＹＥＳに判定され、図１４に示す「抽出単語一覧画面」が画像処理装置１の表示パネルに表示される（Ｓ１１−４：本発明でいう抽出単語出力手段による出力状態）。この画面上で抽出単語の選択入力が行われる（Ｓ１１−５：本発明でいう抽出単語選択手段による選択が可能な状態）。
【００８２】
このようにして何れかのモードに移行した段階で、記憶部１５に記憶されている画像データのうち未だインデックス作成の対象とされていない（その画像データに対するインデックス作成動作が未だ行われていない）画像データが有るか否かを判定し、この画像データが存在している場合には、Ｓ１１−７に移って、その画像データ（インデックス作成動作が未だ行われていない画像データ）を選択し、Ｓ１１−８においてインデックス作成が実行される。
【００８３】
その後、再びＳ１１−６に戻り、他の画像データのうち未だインデックス作成の対象とされていない画像データが有るか否かを判定し、上記の動作を繰り返す。
【００８４】
全ての画像データに対してインデックス作成が完了した後にＳ１１−９に移り、制御部１４に備えられた文字検索手段としての検索部１４ｏが、上記何れかのモードでの検索指示に応じてその検索条件に合う画像データを記憶部１５から検出する。
【００８５】
そして、Ｓ１１−１０で、検出結果である画像データを抽出し、Ｓ１１−１１において、抽出された画像データの件数を出力する。図１３は、「文字検索モード」において、ある検索文字についての検索動作を実行した結果９件の画像データが検出（ヒット）した場合の表示状態を示している。一方、図１４は、「抽出単語検索モード」において、ある抽出単語についての検索動作を実行した結果３件の画像データが検出（ヒット）した場合の表示状態を示している。
【００８６】
このようにして検索された後、その結果の一覧出力が選択されたか否かを判定し（Ｓ１１−１２）、一覧出力が指示されたＹＥＳの場合にはＳ１１−１３に移って画像データの一覧を出力する（本発明でいう出力手段による出力）。この場合の出力形態としても、画像処理装置１の表示パネルに表示してもよいし、画像形成部１３によって印刷されたり、管理者の端末に画像データを送信するようにしてもよい。
【００８７】
以上の動作により、検索対象とされた文字（単語）を含む画像データとその画像データの処理を要求したユーザＩＤとを特定してその情報を記憶部１５から抽出することができる。つまり、検索文字として不正使用である可能性の高い単語（文字）を検索対象とすれば、不正使用に係る情報のみを高い確率で抽出することができ、管理者は、大量のデータを確認することなしに不正使用を監視することが可能となる。その結果、管理者の監視負担の軽減、監視作業の高効率化を図ることが可能になる。
【００８８】
（変形例）
上述した実施形態では、画像処理装置１に備えられた記憶部１５にユーザＩＤとそれに対応した画像情報を記憶していた。本発明はこれに限らず、図１５に示すように、ユーザ端末２及び複数の画像処理装置１，１，…に対してネットワークケーブル４で接続された監視サーバ１０１に記憶部１５を備えさせ、この記憶部１５にユーザＩＤとそれに対応した画像情報を記憶させるようにしてもよい。
【００８９】
この場合、監視サーバ１０１は複数の画像処理装置１，１，…の監視を行うことができ、ネットワーク内に複数の画像処理装置１，１，…がある場合に、管理者は監視サーバ１０１においてそれぞれの画像処理装置１，１，…において実行される不正な使用を一括管理することが可能となる。また、この場合、各画像処理装置１，１，…は、監視サーバ１０１の記憶部１５に対して画像データとユーザとを関連付けた情報を送信するための送信手段を備えることになる。
【００９０】
また、図１５に示すものでは、監視サーバ１０１に上記制御部１４の一部の機能を備えさせている。つまり、上記画像保存管理部１４ｆ、文字認識部１４ｄ、文字切出部１４ｃ、インデックス管理部１４ｋ、画像データ関連付け部１４ｊ、単語抽出部１４ｉ、時計部１４ｈ、管理者認証部１４ｎを備えさせている。
【００９１】
本例の如く監視サーバ１０１を備えた画像処理システムに本発明を適用した場合には、管理者は、管理者端末２Ａを操作することにより、それぞれの画像処理装置１，１，…において実行された不正な使用を、監視サーバ１０１内の画像データ・文字記憶部１５ａに記憶された情報に基づいて一括管理することが可能になる。尚、この管理者端末２Ａには、管理者が操作入力するためのＩ／Ｆ２５、管理者データを記憶した記憶部２６、制御部２７、ネットワークＩ／Ｆ２８が備えられている。
【００９２】
−その他の実施形態−
上述した実施形態及び変形例に係る画像処理装置１は、複写機、プリンタ、スキャナ、ファクシミリの役目を果たすものであった。本発明はこれに限らず、ユーザ端末２，３からのファクシミリ送信を可能にする所謂ＰＣｆａｘの役目をも果たすものであってもよい。また、これら各種機能のうち少なくとも一つを備えた画像処理装置１に対しても本発明は適用可能である。
【００９３】
更に、上述した実施形態では、ＩＣカード等が厳正に管理されているものとして、入力されたユーザＩＤ等のユーザ識別情報をユーザＩＤ識別部１４ｅがそのまま受け入れて利用していた。本発明はこれに限らず、ＩＣカードの盗難等の不正利用に備えて、例えばユーザＩ／Ｆ１６から入力させたパスワードとユーザＩＤとの対応をチェックするユーザ認証機能をユーザＩＤ識別部１４ｅに備えさせて、認証されたユーザのみが画像処理装置１の機能を利用できるようにしてもよい。これによって、ユーザＩＤ等のユーザ識別情報とユーザとの対応がより確実になる。また、ユーザ認証機能の付加は、ネットワーク上に認証サーバ（例えば、ＬＤＡＰ：Ｌｉｇｈｔｗｅｉｇｈｔ  Ｄｉｒｅｃｔｏｒｙ  Ａｃｃｅｓｓ  Ｐｒｏｔｏｃｏｌ等のプロトコルを使用したもの等）を備えさせ、この認証サーバによってユーザＩＤ番号及びパスワードを一括管理するようにしたものに対しても適用可能である。尚、この認証サーバとしては、ユーザＩＤ番号及びパスワードだけでなく、更に高度な認証アルゴリズムを備えさせたり、ユーザ毎に利用可能な機能を管理させたりすることが好ましい。
【００９４】
また、ユーザＩＤ識別部１４ｅは、必ずしも画像処理装置１が備えている必要はなく、その他の装置（ユーザ端末２，３、監視サーバ１０１）に備えられていてもよい。
【００９５】
【発明の効果】
以上のように、本発明では、記憶した画像データの中からそれに含まれる文字を予め認識しておき、その文字を対象として検索することによって特定の単語を含む画像データのみを抽出できるようにしている。そして、この画像データを管理者が確認することによって不正使用であったか否かが判別できるようにしている。つまり、不正使用文書に含まれる可能性の高い単語（文字）を検索対象とした検索を実行することによって、不正使用に係る情報を効率良く抽出できるようにしている。このため、たとえ全ての画像データを記憶させた場合であっても、管理者は大量のデータを確認することなしに不正使用を監視することが可能となって、管理者の監視負担の軽減、監視作業の高効率化を図ることができる。
【図面の簡単な説明】
【図１】実施形態に係るネットワークシステムの構成を示すブロック図である。
【図２】画像処理装置の基本動作を示すフローチャート図である。
【図３】画像データ保存動作を示すフローチャート図である。
【図４】画像データ保存動作に使用される画像の一例を示す図である。
【図５】画像データを記憶した記憶部での記憶状態を示す図である。
【図６】単語辞書に登録されている単語の一例を示す図である。
【図７】インデックスの一例を示す図である。
【図８】インデックス作成動作の開始タイミングを決定するためのフローチャート図である。
【図９】インデックス作成の動作手順を示すフローチャート図である。
【図１０】監視動作の全体の手順を示すフローチャート図である。
【図１１】監視動作中に実行される検索動作の詳細を示すフローチャート図である。
【図１２】監視方法選択画面を示す図である。
【図１３】検索画面を示す図である。
【図１４】抽出単語一覧画面を示す図である。
【図１５】変形例に係る画像処理システムの構成を示すブロック図である。
【符号の説明】
１        画像処理装置
１４ｃ    文字切出部（単語抽出手段）
１４ｄ    文字認識部（文字認識手段）
１４ｅ    ユーザＩＤ識別部（識別手段）
１４ｏ    検索部（文字検索手段）
１５ａ    画像データ・文字記憶部（記憶手段）
１５ｃ    インデックス記憶部（抽出単語記憶手段）
１０１    監視サーバ
【図１】
2004240658.tif 000003
【図２】
2004240658.tif 000004
【図３】
2004240658.tif 000005
【図４】
2004240658.tif 000006
【図５】
2004240658.tif 000007
【図６】
2004240658.tif 000008
【図７】
2004240658.tif 000009
【図８】
2004240658.tif 000010
【図９】
2004240658.tif 000011
【図１０】
2004240658.tif 000012
【図１１】
2004240658.tif 000013
【図１２】
2004240658.tif 000014
【図１３】
2004240658.tif 000015
【図１４】
2004240658.tif 000016
【図１５】
2004240658.tif 000017